(57)【要約】【課題】火災感知器が通信の同期を取る際に火災感知器で消費される電力を低減した火災報知システムを提供する。【解決手段】火災報知システムでは受信装置１と１乃至複数の火災感知器１０との間でＴＤＭＡ方式により無線通信を行う。システムの構築時や何らかの理由で同期がとれなくなった火災感知器１０が同期をとる場合、火災感知器１０の制御部１３は、無線送受信部１２を制御して同期要求信号を受信装置１に送信させた後、受信装置１から応答信号を受信するまでの間、無線送受信部１２を受信状態で動作させる。受信装置１の制御部４は、無線送受信部２が火災感知器１０からの同期要求信号を受信すると、無線送受信部２を制御して、上り方向及び下り方向の別無く、同期要求信号を受信したタイムスロットのすぐ次のタイムスロットで、次のスーパーフレームの先頭スロットまでの時間情報を含む応答信号を、送信元の火災感知器１０に返送させる。【選択図】図１
2008026982.tif 000002
【特許請求の範囲】
【請求項１】
火災を感知する複数の火災感知器と、各々の火災感知器との間で電波を媒体とする無線通信を行う受信装置とを有し、
火災感知器は、火災に伴って発生する温度変化や煙を検出することで火災を感知する感知手段と、受信装置との間で無線信号を送受信する無線送受信手段と、少なくとも感知手段で火災が感知されたときに無線送受信手段を制御して火災感知情報を無線信号により送信させる制御手段と、を備えるとともに、
受信装置は、火災感知器との間で無線信号を送受信する無線送受信手段と、無線送受信手段を制御するとともに無線送受信手段で受信する無線信号から火災感知情報を得る制御手段と、を備え、
受信装置から火災感知器への１つの下り方向のタイムスロットと、各火災感知器毎に個別に割り当てられた火災感知器から受信装置への複数の上り方向のタイムスロットとで構成されるフレームが一定数集まったスーパーフレームの中で、受信装置並びに火災感知器の制御手段が火災感知情報を少なくとも含む情報を授受する火災報知システムであって、
フレーム同期がとれていない火災感知器の制御手段は、無線送受信手段を制御して、次のスーパーフレームの先頭スロットまでの時間情報を要求する同期要求信号を受信装置に対して送信させるとともに、同期要求信号に対する応答信号を受信装置から受信するまでの間、無線送受信手段を受信状態で動作させ、
受信装置の制御手段は、無線送受信手段が火災感知器から同期要求信号を受信すると、無線送受信手段を制御して、上り方向及び下り方向の別無く、同期要求信号を受信したタイムスロットのすぐ次のタイムスロットで、上記時間情報を含む応答信号を火災感知器に返送させることを特徴とする火災報知システム。
【発明の詳細な説明】
【技術分野】
【０００１】
本発明は、火災を感知する複数の火災感知器と、火災感知器との間で無線を媒体として無線通信を行う受信装置とを有する火災報知システムに関するものである。
【背景技術】
【０００２】
従来、火災を感知する複数の火災感知器と、火災を感知した火災感知器から有線で送信される火災感知信号を受信する受信装置とを有する火災報知システムが種々提供されてきた。これに対して、既存の施設等に新たにシステムを導入する場合に、火災感知器と受信装置との間の配線が不要になるという利点から、火災感知器と受信装置との間で無線通信を行うようにした火災報知システムが提案されている（特許文献１参照）。
【０００３】
一方、有線式又は無線式の何れの通信方式においても、複数の火災感知器が正常に動作していることを確認するために、受信装置から各火災感知器に対して定期的に送信要求メッセージを送信し、各火災感知器の動作状態を示す応答メッセージを受信装置に返信させ、応答メッセージに基づいて当該火災感知器で電池切れなどの故障が生じているか否かを判断している。
【０００４】
ここで、火災報知システムの信頼性を向上させるためには、上述のような定期的な送信要求メッセージと応答メッセージの交換をできるだけ頻繁に行う必要がある。例えば、ＥＮ規格（欧州統一規格）においては、３００秒に１回の割合で上記メッセージ交換を行うことを義務づけた規格（ＥＮ５４−２５）が策定される予定である。また、無線式の火災報知システムでは、一般に免許が不要な無線局に割り当てられた周波数を用いるが、国によっては送信時間デューティに厳しい制限が設けられている。例えば欧州連合では、火災報知システムに用いられるＡｌａｒｍ用周波数において、送信時間デューティを０．１％未満に制限することが要求されている。
【特許文献１】特許第３０２９７１６号公報（段落番号［００１４］−［００１９］、［００２９］−［００５４］、及び、第１図、第２図、第５図）
【発明の開示】
【発明が解決しようとする課題】
【０００５】
ところで、定期的なメッセージ交換が上述のように頻繁に行われ、しかもシステムを構成する火災感知器の台数が多ければ多いほど火災感知器同士の送信タイミングが重なって、信号の衝突が生じる確率が高くなるので、かかる衝突を回避する必要がある。
【０００６】
そのために特許文献１に記載のものでは、無線通信に使用されるキャリアが検出されている間は無線信号の送信を行わずにキャリアが検出されていないときに無線信号を送信するキャリアセンス方式が採用されている。また、キャリアセンス方式以外の衝突回避方法として、受信装置から複数の火災感知器に対して所定の順番に送信要求を行うポーリング方式、複数の火災感知器の間で送信権（トークン）を循環させるトークンリング方式（登録商標）、火災感知器が定期的に応答メッセージを送信するとともに、受信装置が応答メッセージを受信した火災感知器に対して受信確認（ＡＣＫ）を返信し、さらに火災感知器は受信装置から受信確認が返信されてくるまで応答メッセージの送信を繰り返す自動再送（ＡＲＱ）方式なども従来より提案されている。
【０００７】
これらの衝突回避方法の内、キャリアセンス方式では無線回路の送信／受信の切り替えに一定の時間を要するために完全に衝突を回避することはできなかった。またポーリング方式及びＡＲＱ方式では、受信装置における返信要求メッセージの送信頻度が、火災感知器の送信頻度と台数との積になるから、火災感知器の台数に比例して送信頻度が増加し、送信時間デューティを０．１％未満とする制限を容易に超えてしまうという問題があった。またトークンリング方式では、電池切れや故障などによって火災感知器が１台でも通信不能になると、トークンが消失して、全ての火災感知器が送信できなくなる虞があった。
【０００８】
このように上述の衝突回避方法ではそれぞれ別個の問題が生じるために、受信装置と複数の火災感知器との間の無線通信を時分割多元接続（ＴＤＭＡ）方式で行うことによって、信号の衝突を回避しつつ通信の信頼性を確保した火災報知システムを本出願人は既に提案している（特願２００５−１６８７１９号など）。この火災報知システムでは、受信装置から火災感知器への下り方向の１つのタイムスロットと、火災感知器から受信装置への上り方向の複数のタイムスロットとで構成されるフレームが一定数集まったスーパーフレームの中で、受信装置並びに火災感知器が火災感知情報を少なくとも含む情報を授受している。また受信装置は、スーパーフレームの先頭フレームの下りタイムスロットにおいて、定期的な送信要求メッセージを各火災感知器に送信し、この送信要求メッセージを受信した火災感知器では、自器の状態を示す応答メッセージを自器に割り当てられた上りタイムスロットで返送しており、このような定期的なメッセージ交換を行うことで受信装置は各火災感知器の状態を把握している。
【０００９】
ここで、受信装置と複数の火災感知器との間で時分割多元接続方式で無線通信を行うためには、先ず受信装置と各火災感知器との間で同期をとる必要がある。例えば携帯電話の通信方式では、端末（火災報知システムでは火災感知器に相当）側で、基地局（火災報知システムでは受信装置に相当）からの制御チャンネルを先ず受信して、通信のタイミングを取得するようにしている。しかしながら、火災報知システムでは携帯電話の通信方式のように制御チャンネルのようなものが存在せず、また常に通信が行われるものでも無いため、同期がとれていない火災感知器では、次のスーパーフレームの先頭スロットで受信装置から定期送信信号が送信されるまで、無線送受信部に電源を供給して受信状態で動作させており、定期送信信号を受信することでスーパーフレームの先頭スロットのタイミングを取得して、通信の同期をとるようになっている。したがって、同期がとれていない火災感知器が、受信装置との間で通信の同期をとるためには、最長でスーパーフレームの時間長だけ受信状態を継続しなければならず、その間は無線送受信部に電源を供給し続けねばならなかった。従来システムでは火災感知器の施工を容易にするために、火災感知器と受信装置との間の通信を無線方式として、火災感知器の配線を不要にしている。したがって、火災感知器は電池を電源として動作しており、通信の同期をとるために、無線送受信部を長時間に亘って受信状態で動作させ続けると、電池の消耗が激しく、電池を短期間で交換しなければならなかった。
【００１０】
本発明は上記問題点に鑑みて為されたものであり、その目的とするところは、火災感知器が通信の同期を取る際に火災感知器で消費される電力を低減した火災報知システムを提供することにある。
【課題を解決するための手段】
【００１１】
上記目的を達成するために、本発明は、火災を感知する複数の火災感知器と、各々の火災感知器との間で電波を媒体とする無線通信を行う受信装置とを有し、火災感知器は、火災に伴って発生する温度変化や煙を検出することで火災を感知する感知手段と、受信装置との間で無線信号を送受信する無線送受信手段と、少なくとも感知手段で火災が感知されたときに無線送受信手段を制御して火災感知情報を無線信号により送信させる制御手段と、を備えるとともに、受信装置は、火災感知器との間で無線信号を送受信する無線送受信手段と、無線送受信手段を制御するとともに無線送受信手段で受信する無線信号から火災感知情報を得る制御手段とを備え、受信装置から火災感知器への１つの下り方向のタイムスロットと、各火災感知器毎に個別に割り当てられた火災感知器から受信装置への複数の上り方向のタイムスロットとで構成されるフレームが一定数集まったスーパーフレームの中で、受信装置並びに火災感知器の制御手段が火災感知情報を少なくとも含む情報を授受する火災報知システムであって、フレーム同期がとれていない火災感知器の制御手段は、無線送受信手段を制御して、次のスーパーフレームの先頭スロットまでの時間情報を要求する同期要求信号を受信装置に対して送信させるとともに、同期要求信号に対する応答信号を受信装置から受信するまでの間、無線送受信手段を受信状態で動作させ、受信装置の制御手段は、無線送受信手段が火災感知器から同期要求信号を受信すると、無線送受信手段を制御して、上り方向及び下り方向の別無く、同期要求信号を受信したタイムスロットのすぐ次のタイムスロットで、上記時間情報を含む応答信号を火災感知器に返送させることを特徴とする。
【発明の効果】
【００１２】
本発明によれば、火災感知器の制御手段は、同期要求信号を送信した後、応答信号を受信するまでの間、無線送受信手段を受信状態で動作させ、且つ、受信装置の制御手段は、無線送受信手段が火災感知器からの同期要求信号を受信すると、上り方向及び下り方向の別無く、同期要求信号を受信したタイムスロットのすぐ次のタイムスロットで時間情報を含む応答信号を火災感知器に返送しているので、同期要求信号を送信した火災感知器の制御手段は、同期要求信号の送信後タイムスロット２個分の時間が経過するまでの間に確実に応答信号を受信することができ、応答信号に含まれる時間情報を用いて同期をとることができるという効果がある。しかも、同期要求信号を送信した火災感知器では、同期要求信号の送信後、最長でもタイムスロット２個分の時間が経過するまで無線送受信手段を受信状態で動作させれば応答信号を受信でき、且つ、応答信号に含まれる時間情報をもとに次のスーパーフレームの先頭スロットで受信装置からの信号を１スロット分受信することで、通信の同期がとれるから、応答信号を受信してから次のスーパーフレームの先頭スロットがくるまで無線送受信手段への給電を停止させることによって、同期をとる際の電力消費を抑制し、電池を電源として動作する場合には電池の寿命を延ばすことができるという効果がある。また更に受信装置から火災感知器へ任意のタイミングで時間情報を返送する場合は、次のスーパーフレームまでのビット数などを時間情報として返送する必要があるが、受信装置では同期要求信号を受信したすぐ次のタイムスロットで応答信号を返送しているので、時間情報として次のスーパーフレームまでのスロット数を送信すれば、次のスーパーフレームまでの時間を正確に把握することができ、時間情報の情報量を少なくすることで、通信時間を短縮して省電力を図ることができる。
【発明を実施するための最良の形態】
【００１３】
以下に本発明の実施の形態を図１〜図４に基づいて説明する。
【００１４】
本実施形態の火災報知システムは、１台の受信装置１と、複数台の火災感知器１０とで構成されている。
【００１５】
火災感知器１０は、例えば施設の天井に設置されるものであって、図１（ａ）に示すように火災に伴って発生する温度変化又は煙の何れか一方、或いは、温度変化と煙の両方を検出することで火災を感知する感知部１１と、所定のデータフォーマットを規定の周波数の搬送波に変復調し、受信装置１との間で電波を媒体とする無線信号を送受信する無線送受信部１２と、無線送受信部１２を制御して後述する火災感知情報や応答メッセージなどを無線信号により送信させる制御部１３と、電池を電源として感知部１１、無線送受信部１２、制御部１３の動作電源を生成する電池電源部１４と、無線信号を送受信するためのアンテナ１５と、制御部１３の制御の下で電池電源部１４から無線送受信部１２への給電路を開閉するスイッチ１６とを備える。制御部１３はマイコンとＥＥＰＲＯＭなどの不揮発性メモリを主構成要素とし、不揮発性メモリに格納されているプログラムを実行することで後述する各種の処理を実行するものである。なお、各火災感知器１０には固有のアドレスが製造時若しくは施工時に付与され、制御部１３の不揮発性メモリに格納されている。
【００１６】
一方、受信装置１は、例えば施設の管理室などに設置されるものであって、図１（ｂ）に示すように後述するデータフォーマットを規定の周波数の搬送波に変復調し、火災感知器１０との間で電波を媒体とする無線信号を送受信する無線送受信部２と、各種の設定を行うための操作スイッチ、火災警報や種々の表示を行うための表示デバイス（例えば、液晶表示器など）、警報音や警報メッセージ等を鳴動するスピーカなどを有する表示操作部３と、無線送受信部２や表示操作部３の制御を行う制御部４と、商用電源から無線送受信部２、表示操作部３、制御部４の動作電源を生成する電源部５と、無線信号を送受信するためのアンテナ６とを備える。制御部４はマイコンとＥＥＰＲＯＭなどの不揮発性メモリを主構成要素とし、不揮発性メモリに格納されているプログラムを実行することで後述する各種の処理を実行するものである。なお、受信装置１にも火災感知器１０と異なる固有のアドレスが製造時若しくは施工時に付与され、制御部４の不揮発性メモリに格納されている。
【００１７】
なお、受信装置１には消防署への通報装置となる所謂受信機（図示せず）が有線接続されており、受信装置１が火災感知器１０から火災の発報信号を受信すると、受信した発報信号を受信機へ有線信号で出力し、受信機から警報を発生させたり消防署へ通報させるようになっている。すなわち受信装置１は、火災感知器１０から無線信号で送信された火災の発報信号を有線信号に変換して所謂受信機に出力する無線−有線変換ユニットとしての機能を有しているのであるが、受信装置１に旧来の受信機の機能を持たせ、受信装置１が火災感知器１０から火災の発報信号を受信すると、受信装置１が警報を発したり消防署に直接通報するようにしても良い。
【００１８】
ここで、受信装置１と火災感知器１０との間の無線通信には免許が不要な周波数を利用している。例えば、日本では小電力セキュリティや特定小電力無線規格、米国ではFcc Regulations Part15 SubpartC、欧州ではShort Range Device規格に準拠した無線特性を満足しなければならない。
【００１９】
受信装置１と火災感知器１０との間で授受される信号のデータフォーマットを図２（ｂ）に示す。このデータフォーマットは、１と０が交番する３２ビットのプリアンブル（ビット同期パターン）ＰＲと、規定のビット列からなる１６ビットのユニークワード（フレーム同期パターン）ＵＷと、火災報知システムに割り当てられる３２ビットの固有のＩＤ（システムＩＤ）ＳｙｓＩＤと、各火災感知器１０に割り当てられた８ビットの固有のＩＤ（感知器ＩＤ）ＮｏｄｅＩＤと、１６ビットのメッセージＭｓｇと、１６ビットの誤り検出符号ＣＲＣとで構成される。すなわち、火災感知器１０の固有アドレスは（システムＩＤ＋感知器ＩＤ）となり、受信装置１の固有アドレスはシステムＩＤとなる。
【００２０】
受信装置１が特定の火災感知器１０を指定してメッセージを送信する場合は、データフォーマットの感知器ＩＤに当該火災感知器１０の感知器ＩＤを指定し、全ての火災感知器１０に対してメッセージを同報送信する場合は、データフォーマットの感知器ＩＤに「０（ゼロ）」を指定して送信すればよい。また火災感知器１０が受信装置１に対して返信する場合、自器の感知器ＩＤをデータフォーマットの感知器ＩＤに設定して送信すればよい。
【００２１】
一方、無線信号を受信した火災感知器１０並びに受信装置１では、無線送受信部１２，２において受信信号を増幅し且つデータフォーマットを復調して制御部１３，４に出力する。制御部１３，４では、無線送受信部１２，２で復調されたデータをマイコンが具備するデジタルの入力ポートでサンプリングし、プリアンブルＰＲの受信中にビットタイミングを抽出して、次に連続する１６ビット分の受信ビットを規定のユニークワードと一致するまで１ビットずつシフトすることでユニークワードを検出する。さらに制御部１３，４は、受信したシステムＩＤと感知器ＩＤを不揮発性メモリに格納されている固有アドレスと照合し、これらが一致し且つビット誤りが検出されなかった場合にメッセージＭｓｇを受理する。
【００２２】
ところで本実施形態においては、受信装置１と複数の火災感知器１０との間の無線通信を、受信装置１を親機とする時分割多元アクセス（ＴＤＭＡ）方式で行っている。図２（ａ）は本実施形態の無線通信で運用される通信フレームを示し、受信装置１から所望の或いは全ての火災感知器１０に宛てて発する下り情報を格納する下り方向の１つのタイムスロットＢと、下りタイムスロットＢに続けて各火災感知器１０から受信装置１に宛てて発する上り情報を格納する上り方向のｎ個（例えばｎ＝９９）のタイムスロットＤｌ〜Ｄｎとで１つのフレームＦ１，Ｆ２…を構成し、さらにｍ個（例えばｍ＝３０）の連続するフレームＦ１〜Ｆｍを集めてスーパーフレームＳＦを構成してある。そして各フレームＦｌ〜Ｆｍにおける上り方向のタイムスロットＤｌ〜Ｄｎを個々の火災感知器１０に個別に割り当てることによって、定期的なメッセージ交換（返信要求メッセージと応答メッセージの交換）の間隔が相対的に短い場合、例えば上述したＥＮ規格のように３００秒に１回というような場合であっても、火災感知器１０から送信される無線信号同士の衝突を確実に回避することができる。なお各火災感知器１０に対する上り方向のタイムスロットＤｌ〜Ｄｎの割り当ては、例えば、火災感知器１０に設けたディップスイッチ（図示せず）によって設定したり、製造工程において制御部１３の不揮発性メモリに予め格納しておいたり、あるいは、設置時に無線通信を用いて受信装置１から順番に各火災感知器１０に割り当てて制御部１３の不揮発性メモリに格納するなどの方法で行えばよい。
【００２３】
上述のようなＴＤＭＡ方式による無線通信では、受信装置１と各火災感知器１０との間でフレーム同期をとる必要があるのであるが、新たな火災感知器１０をシステムに追加する場合や、電池切れ或いは故障などによって同期がとれなくなった火災感知器１０を復旧させてシステムに再登録させる場合には、火災感知器１０と受信装置１との間の同期が確立していないので、先ず通信の同期をとる必要がある。
【００２４】
以下では、同期が確立していない火災感知器１０が通信の同期をとる場合の動作を図３に基づいて説明する。尚、図３（ａ）はタイムスロットの説明図、（ｂ）は受信装置１の送信信号Ｔｘ及び受信信号Ｒｘを示すタイムチャート、同図（ｃ）は火災感知器１０の送信信号Ｔｘ及び受信信号Ｒｘを示すタイムチャートである。
【００２５】
フレーム同期がとれていない火災感知器１０の制御部１３は、受信装置１に対して通信のタイミング、すなわちスーパーフレームの先頭スロットまでの時間情報を要求する同期要求信号を送信するのであるが、制御部１３では、同期がとれておらず自器に割り当てられたスロット位置（タイミング）が判っていないため、同期要求信号が必要な任意の時点（例えば図３の時刻Ｔ１）で、スイッチ１６を閉じて無線送受信部１２に電源を供給し、無線送受信部１２を制御して同期要求信号Ｓ１を送信させている。また、当該火災感知器１０の制御部１３は、同期要求信号Ｓ１の送信を終えた後も、スイッチ１６を閉じて無線送受信部１２に電源を供給し続け、同期要求信号Ｓ１に対応する応答信号を受信するまでの間、無線送受信部１２を受信状態で動作させる（図３（ｃ）の期間Ｒ１）。
【００２６】
一方、受信装置１では、時刻Ｔ１において無線送受信部２が火災感知器１０から送信された同期要求信号Ｓ１を受信し、制御部４に出力するのであるが、制御部４では、同期要求信号Ｓ１が入力されてもすぐには応答信号を返送させず、同期要求信号Ｓ１を受信したタイムスロットのすぐ次のタイムスロットで無線送受信部２を制御して同期要求信号Ｓ１に対する応答信号ＡＣＫを返送させる（時刻Ｔ２）。この応答信号ＡＣＫには、応答信号ＡＣＫの送信終了時（時刻Ｔ３）から、次のスーパーフレームＳＦの先頭スロットであるフレームＦ１の下りタイムスロットＢまでのスロット数が時間情報として含まれている。尚、図３の例ではタイムスロットＤ１からＤ２にかけて同期要求信号Ｓ１を受信しており、この場合は受信を完了したタイムスロットＤ２のすぐ次のタイムスロットＤ３で応答信号ＡＣＫを返送させるのである。
【００２７】
同期要求信号を送信した火災感知器１０の制御部１３は、同期要求信号Ｓ１の送信後、無線送受信部１２を受信状態で動作させ続けており、時刻Ｔ２において受信装置１から火災感知器１０に返送された応答信号ＡＣＫを受信すると、受信完了後の時刻Ｔ３においてスイッチ１６を開き、無線送受信部１２への電源供給を停止する。また火災感知器１０の制御部１３は、応答信号ＡＣＫを受信すると、この応答信号ＡＣＫに含まれる時間情報、すなわち次のスーパーフレームＳＦの先頭スロットまでのスロット数をもとに、タイムスロット１個当たりの時間幅にスロット数を乗じて次のスーパーフレームＳＦまでの待ち時間を求める。そして、火災感知器１０の制御部１３は、図示しない内部タイマにより上記待ち時間の限時動作を開始させ、内部タイマの限時動作が終了した時点でスイッチ１６を閉じて無線送受信部１２に電源を供給して、受信装置１からの信号送信に備えており、スーパーフレームＳＦの先頭スロットである下りタイムスロットＢに受信装置１から送信される返信要求メッセージを受信することによって、受信装置１との間で通信の同期をとることができ、同期を確立するとスイッチ１６を開いて無線送受信部１２への電源供給を停止させる。その後、火災感知器１０の制御部１３は、受信装置１との間で自器に割り当てられたタイムスロットでＴＤＭＡ方式による無線通信を行うのである。
【００２８】
以上の動作をまとめると図４のフローチャートのようになる。受信装置１の制御部４は、下りタイムスロットＢ以外は無線送受信部２を受信状態で動作させており（図４のＳ１１）、その間に同期がとれていない火災感知器１０の制御部１３が、無線送受信部１２を制御して受信装置１へ同期要求信号Ｓ１を送信すると（図４のＳ１２）、受信装置１の無線送受信部２が火災感知器１０からの同期要求信号Ｓ１を受信する。なお火災感知器１０が同期要求信号Ｓ１を送信するのは、本システムを新規に構築する際や本システムに火災感知器１０を追加する際に受信装置１に新規に登録する場合や、システムの動作中に何らかの原因で同期が外れたことを、受信装置１からの下り信号を複数回に亘って受信できないことで検知して、再同期を受信装置１に要求する場合や、電池切れや故障などで通信不能となった後に復旧して再同期を受信装置１に要求する場合などがある。
【００２９】
受信装置１の制御部４は、火災感知器１０からの同期要求信号Ｓ１を受信すると、同期要求信号Ｓ１を受信したタイムスロットのすぐ次のタイムスロットで、無線送受信部２を制御して、同期要求信号Ｓ１に対する応答信号ＡＣＫを、同期要求信号Ｓ１を送信した火災感知器１０に対して返送する（図４のＳ１３）。
【００３０】
一方、同期要求信号Ｓ１を送信した火災感知器１０の制御部１３は、同期要求信号Ｓ１の送信後も受信装置１からの応答信号ＡＣＫを受信できるまで、無線送受信部１２を受信状態で動作させており、受信装置１から返送された応答信号ＡＣＫを受信すると（図４のＳ１４）、スイッチ１６を開いて無線送受信部１２への電源供給を停止する。火災感知器１０の制御部１３は、応答信号ＡＣＫを受信すると、この応答信号ＡＣＫに含まれる時間情報（スロット数）をもとに、タイムスロットの時間幅にスロット数を乗算して次のスーパーフレームＳＦが開始するまでの待ち時間を求め、内部タイマにより上記待ち時間の限時動作を開始させ（図４のＳ１５）、内部タイマの限時動作が終了するまで待機する（図４のＳ１６）。ここに、応答信号ＡＣＫはタイムスロットに同期して送信されるので、時間情報に含まれるスロット数にタイムスロットの時間幅を乗算して得た時間が、次のスーパーフレームの先頭スロットまでの時間となる。したがって、内部タイマの限時動作が終了した時点が、次のスーパーフレームの開始時刻となり、火災感知器１０の制御部１３は、スイッチ１６を閉じて無線送受信部１２に電源を供給し、無線送受信部１２を受信状態で動作させており、この時に受信装置１から送信された次のスーパーフレームＳＦの先頭スロットであるフレームＦ１のタイムスロットＢの信号を受信することで、通信の同期を確立し（図４のＳ１７）、タイムスロットＢの信号を受信し終えると、スイッチ１６を開いて無線送受信部１２への電源供給を停止する。その後、当該火災感知器１０の制御部１３は、自器に割り当てられたタイムスロットで受信装置１に応答信号を返送しており（図４のＳ１８）、以後は通常のＴＤＭＡ方式の無線通信を行うのである。
【００３１】
以上説明したように、フレーム同期がとれていない火災感知器１０の制御部１３は、同期要求信号Ｓ１を送信した後、この同期要求信号Ｓ１に対する応答信号ＡＣＫを受信するまでの間、無線送受信部１２を受信状態で動作させ、且つ、受信装置１の制御部４は、無線送受信部２が同期要求信号Ｓ１を受信すると、上り方向及び下り方向の別無く、同期要求信号Ｓ１を受信したタイムスロットのすぐ次のタイムスロットで時間情報を含む応答信号ＡＣＫを送信元の火災感知器１０に返送しているので、同期要求信号Ｓ１を送信した火災感知器１０の制御部１３は、同期要求信号Ｓ１の送信後、タイムスロット２個分の時間が経過するまでの間に確実に応答信号ＡＣＫを受信することができ、応答信号ＡＣＫに含まれる時間情報を用いて確実に同期をとることができる。
【００３２】
しかも、同期要求信号Ｓ１を送信した火災感知器１０では、同期要求信号Ｓ１の送信後、長くてもタイムスロット２個分の時間が経過するまで無線送受信部１２を受信状態で動作させれば応答信号ＡＣＫを取得でき、且つ、応答信号ＡＣＫに含まれる時間情報をもとに次のスーパーフレームＳＦの先頭スロットで受信装置１からの信号を１スロット分受信することで、通信の同期がとれるから、応答信号ＡＣＫを受信してから次のスーパーフレームＳＦの先頭スロットがくるまで無線送受信部１２への給電を停止させることによって、同期をとる際の電力消費を抑制し、電池を電源として動作する場合には電池の寿命を延ばすことができる。
【００３３】
また更に受信装置１から火災感知器１０へ任意のタイミングで時間情報を含む応答信号ＡＣＫを返送する場合は、次のスーパーフレームＳＦまでのビット数などを時間情報として返送する必要があるが、受信装置１では同期要求信号Ｓ１を受信したすぐ次のタイムスロットで応答信号を送信しているので、応答信号がタイムスロットに同期して返送されることになり、したがって時間情報として次のスーパーフレームＳＦまでのスロット数を送信すれば、次のスーパーフレームＳＦの開始時刻を正確に把握することができ、時間情報の情報量を少なくすることで、通信時間を短縮して省電力を図ることができる。
【００３４】
ところで、火災感知器１０から受信装置１へ同期要求信号Ｓ１を送信した際に、受信装置１の無線送受信部２が送信状態で動作していた場合、受信装置１では、当該火災感知器１０からの同期要求信号Ｓ１を受信することができないため、同期要求信号Ｓ１の送信後にタイムスロット２個分の時間が経過しても、受信装置１から応答信号ＡＣＫが送信されなくなる。したがって、火災感知器１０の制御部１３では、同期要求信号Ｓ１を送信してからタイムスロット２個分の時間が経過するまでの間に同期要求信号Ｓ１に対する応答信号ＡＣＫを受信できなかった場合には、火災感知器１０に設けたＬＥＤ（図示せず）などを点滅させるなどして、通信の同期に失敗したことを報知するようにしても良く、作業者に対して同期操作を再度行うように促すことができる。
【００３５】
なお、本発明の精神と範囲に反することなしに、広範に異なる実施形態を構成することができることは明白なので、この発明は、特定の実施形態に制約されるものではない。
【図面の簡単な説明】
【００３６】
【図１】（ａ）は本実施形態の火災報知システムを構成する火災感知器のブロック図、（ｂ）は受信装置のブロック図である。
【図２】（ａ）は同上において無線通信を行う際のスーパーフレームの説明図、（ｂ）は無線通信に用いる通信データのデータフォーマットの説明図である。
【図３】同上の動作を説明するタイミングチャートである。
【図４】同上の動作を説明するフローチャートである。
【符号の説明】
【００３７】
１  受信装置
２，１２  無線送受信部（無線送受信手段）
３  表示操作部
４，１３  制御部（制御手段）
５  電源部
６，１５  アンテナ
１０  火災感知器
１１  感知部（感知手段）
１４  電池電源部
１６  スイッチ
【図１】
2008026982.tif 000003
【図２】
2008026982.tif 000004
【図３】
2008026982.tif 000005
【図４】
2008026982.tif 000006